(57)【特許請求の範囲】
【請求項１】
少なくとも第１および第２の周波数帯（ＦＢ１、ＦＢ２、．．．）内の無線周波数信号（ＲＦ信号）用の受信機装置であって、第１周波数帯の前記信号が狭いチャネル間隔を有する特定の無線システム（ＮＭＴ、ＡＭＰＳ）用の通信信号を構成しており、また第２周波数帯の前記信号が広いチャネル間隔を有する特定の第２無線システム（ＰＣＳ１９００、ＤＣＳ１８００）用の通信信号を構成しており、
ａ）前記第１および第２の周波数帯にそれぞれ対応して、少なくとも第１および第２のサブリンクを有する受信機（１０４）、
ｂ）第１または第２の周波数帯の入力信号を、前記入力信号が属するシステムに依存して、受信機（１０４）の第１または第２のサブリンクへ経路選択するための適合化ユニット（１０１）、
ｃ）受信機（１０４）の前記第１サブリンクが、
ｃ１）ＲＦ信号を、対応するＩＦ信号へ変換するためのミキシング手段（２０２）、および前記第１周波数帯（ＦＢ１）に対応するバンド幅を有する少なくとも第１および第２のフィルタ手段（２０１、２０３）、
ｃ２）前記ＩＦ信号の復調のための第１復調手段（２０５）であって、第１のベースバンドにある復調されたＩＦ信号の直交する成分（Ｉａ、Ｉｑ）に対する第１の出力対（２０９、２１０）を有する第１復調手段（２０５）、
を含んでおり、更に、
ｄ）前記第２のサブリンクが、前記ＲＦ信号の復調のための第２復調手段（２１３）であって、第２のベースバンドにある復調されたＲＦ信号の直交成分（Ｉｄ、Ｑｄ）に対する第２出力対（２１７、２１８）を有する第２復調手段（２１３）を含んでおり、そして、
ｅ）前記第１および第２の出力対を共通の受信機出力（１１２）へつなぐための装置（２１６）、
を特徴とする受信機装置。
【請求項２】
請求項１に記載の受信機装置であって、
ミキシング手段（２０２）中でのｃ１）に従う変換が、受信したＲＦ信号と、前記第１無線システム（ＡＭＰＳ、ＮＭＴ）中のＲＦ信号用として意図されたミキサー信号（ＬＯｆ１）を発生するように配置された第１発振器（ＶＣＯ）によって生成された第１ミキサー信号（ＬＯｆ１）とのミキシングとして実行されること、
を特徴とする受信機装置。
【請求項３】
請求項２に記載の受信機装置であって、受信したＲＦ信号とミキサー信号（ＬＯｆ１）とのミキシングを通して得られたＩＦ信号が、本質的に７８ＭＨｚの搬送波周波数を有することを特徴とする受信機装置。
【請求項４】
請求項２に記載の受信機装置であって、
前記発振器（ＶＣＯ）が本質的に９４７−９７２ＭＨｚに等しい周波数レンジでミキサー信号（ＬＯｆ１）を発生し、前記ミキサー信号が本質的に８６９−８９４ＭＨｚに等しい周波数レンジでのＲＦ信号用を意図されていること、
を特徴とする受信機装置。
【請求項５】
請求項２に記載の受信機装置であって、
前記発振器（ＶＣＯ）が本質的に１０１３−１０３８ＭＨｚに等しい周波数レンジでミキサー信号（ＬＯｆ１）を発生し、前記ミキサー信号が本質的に９３５−９６０ＭＨｚに等しい周波数レンジでのＲＦ信号用を意図されていること、
を特徴とする受信機装置。
【請求項６】
請求項１に記載の受信機装置であって、
前記第１フィルタ手段（２０１）が本質的に前記第１周波数帯（ＦＢ１）に等しい通過帯域を有する帯域通過フィルタであること、および前記第２フィルタ手段（２０３）が、ＩＦ信号用を意図した搬送波周波数に対応する中心周波数と、前記第１無線システム（ＡＭＰＳ、ＮＭＴ）のチャネル間隔の本質的に±半分のバンド幅とを有する帯域通過フィルタであること、
を特徴とする受信機装置。
【請求項７】
請求項６に記載の受信機装置であって、
前記第１フィルタ手段（２０１）が本質的に８６９−８９４ＭＨｚに等しい通過帯域を有する帯域通過フィルタであること、および前記第２フィルタ手段（２０３）が本質的に７８ＭＨｚの中心周波数と、本質的に±１５ｋＨｚのバンド幅とを有する帯域通過フィルタであること、
を特徴とする受信機装置。
【請求項８】
請求項６に記載の受信機装置であって、
前記第１フィルタ手段（２０１）が本質的に９３５−９６０ＭＨｚに等しい通過帯域を有する帯域通過フィルタであること、および前記第２フィルタ手段（２０３）が本質的に７８ＭＨｚの中心周波数と、本質的に±１２．５ｋＨｚのバンド幅とを有する帯域通過フィルタであること、
を特徴とする受信機装置。
【請求項９】
請求項１に記載の受信機装置であって、
第１復調手段（２０５）を用いたｃ２）に従う復調が、ＩＦ信号用を意図された搬送波周波数に対応する周波数を有する第２のミキサー信号（ＬＯｆ２）を使用して実行され、前記ミキサー信号が第２発振器（２１２）によって生成されること、
を特徴とする受信機装置。
【請求項１０】
請求項９に記載の受信機装置であって、
第１復調手段（２０５）を用いたｃ２）に従う復調が、本質的に７８ＭＨｚの周波数を有する第２ミキサー信号（ＬＯｆ２）を使用して実行されること、
を特徴とする受信機装置。
【請求項１１】
請求項１０に記載の受信機装置であって、
第１復調手段（２０５）から得られた直交成分（Ｉａ、Ｑａ）のベースバンドが、ゼロから、前記第１無線システム（ＡＭＰＳ、ＮＭＴ）のチャネル間隔の半分に対応する値までの周波数レンジ内に存在すること、
を特徴とする受信機装置。
【請求項１２】
請求項１１に記載の受信機装置であって、
前記第１無線システムのベースバンドが、本質的に０−１５ｋＨｚに等しい周波数レンジ内に存在すること、
を特徴とする受信機装置。
【請求項１３】
請求項１に記載の受信機装置であって、
ｄ）に従う復調が、第２復調手段（２１３）を使用して、第３発振器（２１９）によって前記第２周波数帯（ＦＢ２）に対応する周波数レンジ内に生成された第３ミキサー信号（ＬＯｆ３）を使用して実行されること、
を特徴とする受信機装置。
【請求項１４】
請求項１３に記載の受信機装置であって、
第２復調手段（２１３）から得られた直交成分（Ｉｄ、Ｑｄ）のベースバンドが、ゼロから、前記第２無線システム（ＰＣＳ１９００、ＤＣＳ１８００、ＧＳＭ）に関するチャネル間隔の半分に対応する値までの周波数レンジ内に存在すること、
を特徴とする受信機装置。
【請求項１５】
請求項１４に記載の受信機装置であって、
前記第２無線システムのベースバンドが、本質的に０−１００ｋＨｚに等しい周波数レンジ内に存在すること、
を特徴とする受信機装置。
【請求項１６】
請求項１に記載の受信機装置であって、
工程ｅ）に従う装置（２１６）が、それぞれ直交する成分（Ｉａ、Ｉｄ、Ｑａ、Ｑｄ）用に意図された少なくとも第１および第２の増幅器（２２３）を含む回路デバイスを含んでいること、
を特徴とする受信機装置。
【請求項１７】
請求項１から請求項１６迄の請求項の内、いずれか１つの請求項記載の受信機装置であって、適合化手段（１０１）がアンテナ組合せユニットを含んでいることを特徴とする受信機装置。
【発明の詳細な説明】
技術分野
本発明は、異なる周波数帯で信号を受信するための受信機に関する。本発明は主として２つの異なるタイプのネットワーク用の移動電話中の受信機として使用するためものを意図している。
技術の現状
移動電話ネットワークはネットワークへのアクセスを制限する一定の最大容量を有するため、ネットワークが非常に混雑する時には、しばしば移動電話と移動電話ネットワークとの間の接続確立に失敗する。特に、一日の内で特定の時間帯にピークが発生するような、人口の集中した領域で接続の失敗が頻繁に発生する。
移動電話ネットワークのカバーする範囲は地形的に変化する。ある領域では、１つのシステムが良好なカバレッジを有する一方で、別のネットワークは劣るということがある。
できるだけ多くの接続確立を成功させることを確実にすることは移動電話サービスプロバイダーの望むことである。このため、多くの移動電話サービスプロバイダーは、いくつかの電話ネットワークで使用できる移動電話を欲している。そのような移動電話ネットワークは、異なるタイプの移動電話システムを含んでいる可能性がある。それは、例えば、それらのシステムが、移動電話と移動電話ネットワークとの間の無線通信のために異なる搬送波周波数を使用することを意味しよう。これらの異なるタイプの移動電話ネットワークは、１つの同じ移動電話サービスプロバイダーによって提供されるかもしれない。もし、例えば移動電話から、任意の時点で最良のネットワークを選択することが可能であれば、ネットワークは利用者にとってよりアクセスし易いものとすることができ、それによってより多くの接続が確立できるようになろう。
異なる移動電話システム用のいくつかのネットワークで使用できる移動電話は、各々の移動電話システムに対応する送信機および受信機を必要とする。移動電話を妥当な寸法に保つために、このことは、異なるシステムのために可能な限り同じ部品を使用しなければならないことを意味する。それによって、移動電話に必要とされる部品数が減って、それをより安価、小型、および軽量なものとすることができる。
欧州特許出願第ＥＰ  ６７８  ９７４  Ａ２号には、無線周波数システム用の送信機および受信機が開示されている。それらの無線周波数システムはＧＳＭとＰＣＮである。それらの送信機および受信機は、２つの異なる周波数レンジに関する送信および受信用として使用するためのものを意図している。送信機および受信機用の共通ユニットの１つは、２６ＭＨｚの周波数を有するミキサー信号ＬＯ３を発生する電圧制御水晶発振器である。更に、この電圧制御水晶発振器には２つのシンセサイザーがつながれている。それらのシンセサイザーの各々は、水晶発振器から受信したミキサー信号ＬＯ３を使用して、それぞれミキサー信号ＬＯ１およびＬＯ２を発生する。第１のシンセサイザーは、送信および受信すべき周波数レンジに依存して、異なる周波数のミキサー信号ＬＯ１を発生する。ＧＳＭ用としては、ＬＯ１の周波数は１５００ＭＨｚであり、ＰＣＮ用としては１２００ＭＨｚである。受信機は両周波数レンジに対して共通のＲＦベースバンドリンクを有する。このように、同じ増幅器、フィルタ、ミキサー、およびＩ／Ｑ復調器が両周波数レンジで使用される。受信機は、ミキサー信号ＬＯ１を、受信したＲＦ信号とミキシングして第１の中間周波数ＩＦ１を得る。第１中間周波数ＩＦ１は２つの周波数レンジで同じである。受信される周波数レンジに依存して、上で述べた２つの周波数間でミキサー信号ＬＯ１を変化させることによって、２つの周波数レンジに対して同一の中間周波数ＩＦ１が得られる。擾乱を最小化するためには、この第１中間周波数ＩＦ１は２８０．４ＭＨｚであるべきである。第１中間周波数ＩＦ１は次の工程でミキサー信号ＬＯ２とミキシングされて、第２の中間周波数ＩＦ２が得られる。この中間周波数ＩＦ２はＩ／Ｑ復調器で復調されて、ＩおよびＱのベースバンド信号を得る。
この解決法の欠点は、Ｉ／Ｑ復調の前に無線周波数が２度ミキシングされることであり、このことは電力消費を増大させる。電力消費を抑制することは、例えば移動電話においては最も重要なことである。
この解決法の別の欠点は、２つの異なる無線周波数システムをこの受信機で受信するためには、それらが同じチャネルバンド幅を持たねばならないということである。この受信機は、異なるチャネルバンド幅を有する無線周波数システムでは動作しない。
欧州特許出願第ＥＰ  ６８２４５８  Ａ２号は、２つの異なるデジタルセルラーシステムで送信および受信を行うための無線通信装置を開示している。この装置は、セルラーシステムの１つ（ＧＳＭ）での通信を許容する主ユニットと、主ユニットと一緒になって他のデジタルセルラーシステム（ＰＣＮ）での通信を許容する付加的ユニットとを含む。主ユニットは、可変フィルタ、２台のミキサー、可変シンセサイザー、およびＧＳＭ用を意図した電力増幅器を含む。ＰＣＮ用の電力増幅器である付加的ユニットは、主ユニットへつながれよう。
シンセサイザーからの出力信号の周波数およびフィルタパラメータは調節可能である。付加的ユニットが主ユニットへつながれる時は、ＣＰＵへつながれた検出器によってそれが検出される。ＣＰＵは制御ユニットに対して命令を出して、１５シンセサイザーから出力信号の周波数およびフィルタパラメータをＰＣＮ用として調節させる。次にスイッチが制御ユニットによって駆動されて、ＰＣＮ用の電力増幅器が接続される。付加的ユニットが取り外された時は、ＧＳＭ用の電力増幅器がつながれて、フィルタパラメータおよびシンセサイザー周波数が再びＧＳＭ用に調節される。
この解決法に付随する１つの欠点は、移動電話を両システムへ接続することを可能とするために付加的ユニットが必要とされることである。
別の欠点は、信号が受信された時に、第１中間周波数へのミキシングが実行されることである。このミキシングは電源に対する不必要な電力損失を意味する。
この受信機の更に別の欠点は、ここでも、受信すべき２つのデジタルセルラーシステムが同じチャネルバンド幅を持たねばならないことをこの受信機が要求することである。
発明の概要
本発明は、同じ受信機の中で、いくつかの異なる周波数帯で無線周波数信号を受信することを可能とするという問題に取り組んでいる。受信される信号はそれぞれの周波数帯で異なるチャネルバンド幅を持つかもしれない。
本発明が取り組む別の問題は、無線周波数信号を受信する時に、同じバンド幅の受信機部の使用を可能とすることである。これによって受信機中の部品数が削減され、それがひいては受信機のコスト削減につながる。
本発明が取り組む更に別の問題は、受信機の動作特性に対して異なる要求を持つ無線通信システムからの無線信号受信を可能とすることである。この受信は、１つの同じ受信機中で行われるはずである。
本発明の１つの目的は、できる限り簡略なやり方で設計された受信機を使用して、異なる無線通信システムから、ＲＦレンジにある異なる信号の受信を可能とすることである。
本発明に従う多重バンド受信機は、異なる無線通信システムからのＲＦ信号用の受信チェーン中に１つのリンクを構成する。多重バンド受信機は、これに従って、各々の末端にＩ／Ｑ復調器を備えた少なくとも２つの異なるサブリンクを備えて配置される。Ｉ／Ｑ復調器からの出力は共通出力へつながれ、それは共通のベースバンドユニットへつながれよう。
受信された信号の信号処理は、異なるシステム毎に違うであろう。この処理は、電力またはスペースをさほど取らないユニットを使用して実行されるので、通常は問題とならない。
多重バンド受信機中の第１サブリンクは、一定の狭いチャネル間隔を有するＲＦエリア中で信号を受信する。受信された信号は増幅され、フィルタを通されて、次に特定の周波数とミキシングされて、ＩＦエリアの信号を得る。このＩＦ信号はＩ／Ｑ復調されて、低周波数エリアの出力信号を得る。この低周波数エリアは、そこからＲＦ信号が受信されたその無線通信システムのベースバンド周波数エリアに対応する。
多重バンド受信機中の他方のサブリンクは、ＲＦエリアの信号を受信するが、それは上で述べた第１のものよりも広いチャネル間隔で以てＩ／Ｑ復調される。これによって、異なるベースバンド周波数エリアでの出力信号が得られる。そのベースバンドは、そこからＲＦ信号が受信されたその無線通信システム中で使用される。この他方のサブリンクでは、ＲＦエリアからベースバンド周波数エリアへの直接ミキシングが実行される。他方、上で述べた第１サブリンクではＲＦエリアからベースバンド周波数エリアへのミキシングが中間周波数レンジを介して実行される。
本発明の１つの特徴は、受信機中の同じベースバンド装置が、異なるＲＦエリアを使用する異なる無線通信システム用として使用されるということである。
別の特徴は、受信機が比較的少数の部品を含むことであり、それは、簡略で安価な設計が実現されていることを意味する。
本発明の更に別の特徴は次のことである。本発明の多重バンド受信機中でＲＦエリアからベースバンド周波数エリアへのミキシングを行う時には、２つの異なる方法が用いられる。このことによって、受信機動作特性に対して異なる要求を課す無線通信システムの受信が可能となる。
本発明は、開示図面を参照しながら、好適実施例を取り上げて次にもっと詳細に説明することにしよう。
【図面の簡単な説明】
図１は送信機装置の簡略化したブロック図。
図２は本発明に従う多重バンド受信機の一実施例に関する方式。
実施例の詳細な説明
図１は、例えば、無線通信用の移動電話中の送信機（トランシーバ）装置の模式図である。送信機は、アンテナ１００、アンテナ組合せユニット１０１、およびスイッチ１０２を含む。スイッチは、帯域通過フィルタ１０３を介した多重バンド受信機１０４と、送信機１１３の両方をアンテナ組合せユニット１０１へつなぐ。送信機装置は、更に、送信機１１３と多重バンド受信機１０４をアンテナ組合せユニット１０１へつなぐ多重フィルタ１０６を含む。受信機１０４は、無線周波数（ＲＦ）エリアで、異なるタイプの移動電話システム用のいくつかの異なる周波数帯で信号を受信するように配置されている。異なるタイプの移動電話システムはまた、異なるチャネル間隔を有することができる。移動電話システムは、例えば、３０ｋＨｚのチャネル間隔で８６９−８９４ＭＨｚの周波数帯におけるＡＭＰＳや、２００ｋＨｚのチャネル間隔で１９３０−１９９０ＭＨｚの周波数帯におけるＰＣＳでよい。
その他のチャネル間隔を使用するその他の周波数帯におけるその他の移動電話システムも、もちろん、もしその受信機がそれらのシステムに適合したユニットを含んでいれば受信することができる。この受信機のチェーンが、例えばそれぞれＡＭＰＳおよびＰＣＳ１９００に適合している時は、それら２つのシステムに関する信号受信間で選択が行われよう。この選択は手動で行ってもよいし、あるいは自動で行うようにしてもよい。例えば、与えられた時点で最良の信号を有するシステムが接続されよう。
２つのシステムで受信される信号の周波数帯が異なるため、アンテナ１００はそれらのシステム用の周波数帯に適合化される必要がある。これはアンテナ１００へつながれたアンテナ組合せユニット１０１によって行われる。アンテナ組合せユニット１０１はまた、スイッチとしても機能する。受信したＲＦ信号は、スイッチ１０２および帯域通過フィルタ１０３を通って第１入力へ、あるいは多重フィルタ１０６を通って本発明の多重バンド受信機１０４の第２入力１１１へ経路選択されるが、これらの入力はＲＦ信号用を意図されている。
一例として、図１に示される装置は、ここではシステムＰＣＳ１９００で使用するように調節されていることが仮定されている。従って、アンテナ１００はアンテナ組合せユニット１０１によって、１９００ＭＨｚ付近の周波数帯で送信および受信を行うように適合化されている。アンテナ組合せユニット１０１は、図１に示される位置のうちの１つにあるスイッチ１０２によって第１の帯域通過フィルタ１０３へつながれる。このフィルタはＰＣＳ１９００用として定義されたレンジ外のすべての周波数を阻止する。本発明の多重バンド受信機１０４はそれの入力１０８へ、ＰＣＳ１９００用に定義された１９００ＭＨｚエリアにあり、２００ｋＨｚのチャネル間隔を有する信号を受信する。多重バンド受信機１０４の出力１１２では、ＰＣＳ１９００用として定義されたベースバンド周波数レンジにおいて信号が受信される。ベースバンド周波数エリアの周波数内容は、ゼロＨｚから、ＲＦ信号が受信されたその無線通信システム用のチャネル間隔の半分にまで及ぶ。ＰＣＳ１９００用のチャネル間隔は２００ｋＨｚであるので、このことは多重バンド受信機の出力１１２における信号の周波数内容が０−１００ｋＨｚであることを意味する。出力１１２における出力信号は、直交する２つのベースバンドチャネルを有する信号である。すなわち、２つの信号は同じ情報内容を有するが、９０°の位相差を有する。この概念は当業者にはなじみのものである。このベースバンドユニットでは、就中、低域通過フィルタリング、受信信号の検出および隣接チャネル抑制、ベースバンド周波数レンジへのミキシングダウンが次に実行される。
スイッチ１０２が、図１に従うそれの他方の位置にある時は、それは送信機１１３の入力１０９をアンテナ組合せユニット１０１へ当業界では一般的なやり方でつなぐ。このように、同じアンテナ１００が送信および受信のために使用される。
別のシステム、例えばＡＭＰＳ用の送信および受信の場合には、２重（デュプレクス）フィルタ１０６がスイッチ１０２と同じ機能を果たす。この機能は送信信号と受信信号とを分離することである。２重フィルタ１０６は、当業界では一般的なやり方で、送信機１１３の出力１１０および受信機１０４の入力１１１へつながれる。入力１１１では、本発明の多重バンド受信機が、３０ｋＨｚのチャネル間隔を有するＡＭＰＳ用のＲＦ信号を受信する。ＡＭＰＳが３０ｋＨｚのチャネル間隔を持つので、出力１１２に得られる信号はベースバンド周波数レンジ０−１５ｋＨｚの周波数を含む。
本発明の多重バンド受信機１０４は、ＲＦレンジの信号を受信する少なくとも２つの入力１０８および１１１、そしてベースバンドユニット１０５へつながれる少なくとも出力１１２を含む。多重バンド受信機１０４は更に、１つの同じ出力１１２を、ベースバンドユニット１０５上の１つの同じ入力へ接続することを可能にするユニットを含む。このことは図２に関連してより詳細に説明する。
受信機は必ずしも送信機と一緒に使用しなくともよく、例えばページングシステムで、２つの周波数バンドでＲＦ信号を受信することができる個別のユニットを構成することもできる。
多重バンド受信機１０４は、多重バンド受信機１０４の寸法を小型とするために、特定用途向け集積回路（ＡＳＩＣ）中に組み込んでもよい。本発明の多重バンド受信機１０４のそのような組み込みは、１つだけのベースバンドユニット１０５の使用と組合わさって、数少ない部品を使ったより小型の受信機を可能とする。これによって、受信機はより安価に製造できるようになろう。
図２は本発明に従う多重バンド受信機１０４の一実施例を示す。
第１の移動電話システム（ＡＭＰＳ、ＮＭＴ）は一定の狭いチャネル間隔を有する。このチャネル間隔を持つ信号が入力１１１に受信され、それらの信号の、無線周波数レンジから中間周波数レンジへの第１のミキシングがミキサー２０２を用いて実行される。中間周波数信号は、次に、Ｉ／Ｑ復調器２０５中でＩ／Ｑ復調されて、出力２１１にベースバンド周波数レンジの出力信号が得られる。
第２の移動電話システム（ＧＳＭ、ＰＣＳ１９００、ＤＣＳ１８００）は、上で述べた第１の移動電話システムよりも広い一定のチャネル間隔を有する。このより広いチャネル間隔を有する信号が入力１０８に受信され、その受信されたＲＦレンジの信号に対して直接的なＩ／Ｑ復調がＩ／Ｑ復調器２１３中で実行される。この他方のシステムの入力信号の、ベースバンド周波数レンジの出力信号が出力２１４に得られる。出力２１１、２１４は、増幅器２１６へつながれた共通出力２１５へつながれる。出力２１１、２１４に得られる信号は、こうして増幅器２１６で増幅されて、結果の増幅された信号が出力１２２に得られる（図１）。この出力は図２に示される出力対２２７、２２８を含む。
入力１１１は多重バンド受信機１０４の第１増幅器２００への入力である。増幅器２００は主として無線周波数レンジで信号を増幅する。増幅器２００は、現在の無線周波数レンジの信号のみを通過させる帯域通過フィルタ２０１へつながれよう。例えば、ＡＭＰＳ用としてのフィルタ２０１は、通過帯域８６９−８９４ＭＨｚ、すなわち２５ＭＨｚのバンド幅を有する帯域通過フィルタである。
フィルタ２０１はまたミキサー２０２へつながれている。ミキサー２０２はフィルタ２０１中で得られた濾過されたＲＦ信号と、電圧制御発振器ＶＣＯからの既に決定された周波数ＬＯｆ１を有する信号の両方を受信する。中間周波数レンジの信号が生成される。この中間周波数レンジはＡＭＰＳおよびＮＭＴ用としては約７８ＭＨｚである。ＮＭＴ用の帯域通過フィルタ２０１の対応する通過帯域は９３５−９６０ＭＨｚである。
ＡＭＰＳ用としては、一例として、周波数ＬＯｆ１は前記電圧制御発振器によって９４７−９７２ＭＨｚの周波数レンジに生成され、またＮＭＴ用としては１０１３−１０３８ＫＨｚの周波数レンジに生成される。
ミキサー２０２は、次に第３の帯域通過フィルタ２０３へつながれる。このフィルタ２０３は、受信機のための何らの情報も含まない中間周波数レンジの信号、例えば、他のチャネル上の強力な擾乱信号のすべての周波数を排除する。ＡＭＰＳ用としては、一例として、このフィルタ２０３は中心周波数７８ＭＨｚでバンド幅±１５ｋＨｚを有するように設計され、またＮＭＴ用としての対応する中心周波数は７８ＭＨｚで、バンド幅は±１２．５ｋＨｚである。
フィルタ２０３はＩ／Ｑ復調器２０５へつながれている。Ｉ／Ｑ復調器は差動増幅器２０４、２台のミキサー２０６、２０７、および位相シフト装置２０８を含む。差動増幅器２０４はフィルタ２０３から得られる中間周波数信号を微分する。この微分を通して、より優れた信号対雑音比を有する信号が得られる。周波数ＬＯｆ２を有する信号を発生する発振器２１２が、位相シフト装置２０８およびミキサー２０７へつながれている。一例として、ＡＭＰＳおよびＮＭＴ用の周波数ＬＯｆ２は７８ＭＨｚである。
位相シフト装置２０８は、これは例えば受動回路網でよいが、発振器２１２によって生成された信号を位相シフトする。位相シフトされた信号は差動増幅器で微分された信号とミキシングされて、Ｉ／Ｑ復調器２０５の出力２０９にベースバンド周波数レンジの信号Ｉａが発生する。発振器２１２によって生成される信号は差動増幅器からの微分された信号とミキシングされて、出力２１０へベースバンド周波数レンジの別の信号Ｑａを得る。信号ＩａおよびＱａは直交する２つのベースバンドチャネルであり、ゼロから、ＲＦ信号がＲＦエリアからベースバンド周波数エリアへミキシングされたそのシステムに関するチャネル間隔の半分までの周波数を含んでいる。上で述べたＩ／Ｑ復調は当業者には良く知られている。
出力２０９、２１０の各々は増幅器２１６の入力２２６、２２５へつながれている。信号Ｉａは少なくとも１つの増幅器２２３を用いて増幅されるが、この増幅器は、例えば、演算増幅器でよい。この増幅器は電圧フォロワーとしてつながれて、出力２２８に出力信号Ｉを得るようにされる。同じようにして、信号Ｑａの増幅を通して、出力信号Ｑが出力２２７に得られる。出力２２７および２２８は図１には出力１１２として示されている。
他方のシステムに属する、信号受信のための他方のサブリンクでは、入力１０８はＲＦ信号を増幅する増幅器２２４への入力となっている。増幅器２２４は、これも２台のミキサー２２０、２２１および位相シフター２２２を含む第２のＩ／Ｑ復調器２１３中の１部品である。周波数ＬＯｆ３を有する信号を発生する発振器２１９がＩ／Ｑ復調器２１３へつながれている。ＰＣＳ１９００用としては、一例として、この発振器は周波数レンジ１９３０−１９９０ＭＨｚの周波数を発生し、またＤＣＳ１８００用としての対応する周波数レンジは１８０５−１８８０ＭＨｚである。
Ｉ／Ｑ復調器２１３は、上でＩ／Ｑ復調器に関して述べたのと同じようにして、周波数ＬＯｆ３を有する信号と、入力１０８に受信した信号とをミキシングする。こうして、出力２１７にはベースバンド信号Ｉｄが得られ、また出力２１８にはベースバンド信号Ｑｄが得られる。ＩｄおよびＱｄは直交する２つのベースバンドチャネルである。信号Ｉｄ、Ｑｄは信号Ｉａ、Ｑａよりも大きいベースバンド周波数レンジを有する。この場合、これらの信号はＲＦからＩＦへミキシングダウンする必要はなく、第１のサブリンクの付加的フィルタ２０１、２０３に対応するフィルタは不要である。ＰＣＳ１９００用としては、一例として、このことはＲＦレンジ１９００ＭＨｚからベースバンド周波数レンジ０−１００ｋＨｚへのミキシングを意味する。
本発明で使用される増幅器は、例えば、予め定められた増幅度を有する演算増幅器であってもよいし、あるいは電圧フォロワーとしてつなぐこともできる。
もし本発明の多重バンド受信機１０４がＡＳＩＣとして実現されれば、例えば、送信機に属するいくつかのユニットをＡＳＩＣ上へ組み込むことができよう。そうすればもっと広いスペースが節約でき、ＲＦ装置を更に小型化できる。
本発明はもちろん２サブリンクだけに限らず、２サブリンクよりも多いサブリンクを備えたもので以て新規なやり方で実現することもできよう。
【図１】
0003934162.tif 000002
【図２】
0003934162.tif 000003